【事件の表示】
　特願２００４−　６２５３８「録画予約制御装置および録画予約制御方法」拒絶査定不服審判事件〔平成１６年　６月２４日出願公開、特開２００４−１７８８１１〕について、次のとおり審決する。
【結　論】
　本件審判の請求は、成り立たない。
【理　由】
　
１．手続の経緯・本願発明
　本件の審判請求に係る特許出願（以下、「本願」という。）は、昭和63年６月６日に出願した特願昭63-138679号の分割出願である特願平10-58567号をさらに分割出願した特願2000-135905号をさらに分割出願した特願2000-294017号をさらに分割出願した特願2001-34020号をさらに分割出願した特願2002-23811号をさらに分割出願した特願2002-308594号をさらに分割して特願2004-62538号（平成16年３月５日出願）としたものである。
　そして、本願の請求項１乃至請求項４に係る発明は、平成16年11月10日付け手続補正で補正された明細書の特許請求の範囲の請求項１乃至請求項４に記載された以下のとおりのものである。
　
「【請求項１】
　テレビの放映内容を録画する録画装置において、
　少なくともテレビ放送の内容と放映時間とを含む情報を予め記憶する記憶手段と、
　該記憶された情報をテレビ受像機に出力し、該テレビ受像機に、各番組をチャンネルの違い毎に縦もしくは横の内の１方向に並べるとともに、同一チャンネルの番組を、その放送順に、１番組１枠で上記１方向と垂直な方向に並べ、且つ各番組の放送時間に応じた長さで表示した表形式で表示させる表示制御手段と、
　該表示された情報から所望の放送内容を選択する選択手段と、
　該選択された情報に従って、その放映時間を録画予約手段に設定する録画設定手段と　
　を備え、
　複数の番組（チャンネルが異なる場合も同一の場合も含む）の録画が設定された場合、ひとつの番組の放映時間が終了する度に当該録画装置の電源を落とさないとともに、
　チューナにより復調されたチャンネルの映像信号を一旦ビデオメモリに蓄えた後、出力することを特徴とする録画装置。
【請求項２】
　テレビの放映内容を録画する録画装置において、
　少なくともテレビ放送の内容と放映時間とを含む情報を予め記憶する記憶手段と、
　該記憶された情報をテレビ受像機に出力し、該テレビ受像機に、各番組をチャンネルの違い毎に縦もしくは横の内の１方向に並べるとともに、同一チャンネルの番組を、その放送順に、１番組１枠で上記１方向と垂直な方向に並べ、且つ各番組の放送時間に応じた長さで表示した表形式で表示させる表示制御手段と、
　該表示された情報から所望の放送内容を選択する選択手段と、
　該選択された情報に従って、その放映時間を録画予約手段に設定する録画設定手段と　
　を備え、
　複数の番組（チャンネルが異なる場合も同一の場合も含む）の録画が設定された場合、ひとつの番組の放映時間が終了する度に当該録画装置の電源を落とさないとともに、
　録画再生部により再生された映像信号を一旦ビデオメモリに蓄えた後、出力することを特徴とする録画装置。
【請求項３】
　テレビの放映内容を録画する録画方法において、
　少なくともテレビ放送の内容と放映時間とを含む情報を予め記憶し、
　該記憶された情報をテレビ受像機に出力し、該テレビ受像機に、各番組をチャンネルの違い毎に縦もしくは横の内の１方向に並べるとともに、同一チャンネルの番組を、その放送順に、１番組１枠で上記１方向と垂直な方向に並べ、且つ各番組の放送時間に応じた長さで表示した表形式で表示させ、
　該表示された情報から所望の放送内容が選択されると、
　該選択された情報に従って、その放映時間を録画予約手段に設定し、
　複数の番組（チャンネルが異なる場合も同一の場合も含む）の録画が設定された場合、ひとつの番組の放映時間が終了する度に当該録画方法に係る録画装置の電源を落とさないとともに、
　チューナにより復調されたチャンネルの映像信号を一旦ビデオメモリに蓄えた後、出力することを特徴とする録画方法。
【請求項４】
　テレビの放映内容を録画する録画方法において、
　少なくともテレビ放送の内容と放映時間とを含む情報を予め記憶し、
　該記憶された情報をテレビ受像機に出力し、該テレビ受像機に、各番組をチャンネルの違い毎に縦もしくは横の内の１方向に並べるとともに、同一チャンネルの番組を、その放送順に、１番組１枠で上記１方向と垂直な方向に並べ、且つ各番組の放送時間に応じた長さで表示した表形式で表示させ、
　該表示された情報から所望の放送内容が選択されると、
　該選択された情報に従って、その放映時間を録画予約手段に設定し、
　複数の番組（チャンネルが異なる場合も同一の場合も含む）の録画が設定された場合、ひとつの番組の放映時間が終了する度に当該録画方法に係る録画装置の電源を落とさないとともに、
　録画再生部により再生された映像信号を一旦ビデオメモリに蓄えた後、出力することを特徴とする録画方法。」
　
２．引用例に記載された発明
　これに対し、原査定の拒絶の理由で引用された本願出願前に頒布された刊行物である特開昭63-75917号公報（以下、「引用例」という。）は、放送記録指示装置に関するもので、図面とともに次の技術事項が記載されている。
(i)「〔産業上の利用分野〕
　本発明は、放送番組の予約録画・録音を改良した放送記録指示装置に関する。」（第１頁右下欄第３〜５行）
(ii)「近年、ビデオテープレコーダ（VTR）やカセットテープレコーダの普及に伴い、タイマーを用いてテレビ放送やラジオ放送を記録するケースが増している。
　・・・・・
　このような問題を解決するために、本体付属の表示管のかわりに付属のTV画面上に、情報を表示するものがでてきた。
　・・・・・
　本発明の目的は、放送番組を予約録画する際に、ユーザにとって操作し易い放送記録指示装置を提供することにある。」（第１頁右下欄第７行〜第２頁左上欄第13行）
(iii)「（実施例）
　以下、本発明の一実施例を図面に沿って説明する。第１図は本発明の一実施例の概略構成図である。これは、放送通信を受信するためのチューナーなどからなる受信部１と、受信した放送あるいはタイマー予約に必要な情報を表示するためのブラウン管などからなる表示部３と、表示部３上の座標位置と番組予約に必要な情報を対応づける対応部４と、受信放送の選局指示などを行うための入力部５と、放送をビデオテープなどに記録するための記録部７と、表示部３に表示された情報の確認指示を行うための指示部６と、これらの制御を行う制御部２からなっている。
　第２図(a)は一実施例中の表示例である。この表示では新聞の番組欄と同様に横方向に放送局のチャンネル、縦方向に時間帯が表示されている。
　第２図(b)は、例えば本日（７月10日）の午前中分の番組録画用の画面である。午後の分を予約したいときには、例えば、右下に表示されている「午後予約」という部分をおす。すると、制御部２は、例えば第３図(a)のような対応部４を参照する。制御部２は表示部３上で指示された座標値、例えば（x,y）が、第３図(a)のどの座標値に該当するかをみる。今、x1xx2、y1yy2であるので、第３図(a)の(1)（実際には、丸数字の１と記載されている。）に該当することがわかる。その指示内容が「午後への切り換え」であるので制御部２は表示部３の表示内容を、同日の午後の番組欄に変更する。その結果、表示は第２図(b)にかわり、対応部４もそれに合わせて、例えば第３図(b)のように変わる。
　ここで、ユーザが1Chの午後2:00〜2:30の番組を予約したいと思い、その部分を指示したとする（座標値（x,y））。制御部２は、X1XX2、Y1YY2であることより、第３図(b)の対応表の(4)（実際には、丸数字の４と記載されている。）に該当する事を判定する。
　その内容は「CH1　pm2:00」である。制御部２には、番組を予約するのは指定された時刻をn:00とすると、第４図のような時間帯であることが設定されている。今、「n=２」であるから、第４図のｎに２を代入した結果を例えば、第５図のように表示する。ユーザは、今は「2:00〜2:30」を録画したいのでこの中から(1)（実際には、丸数字の１と記載されている。）を指示する。制御部２は通常のタイマー予約と同様に「７月10日　1Ch　2:00〜2:30」の録画を行う。
　なお、当日より先の日の予約を行いたいときは、表示画面右上 に表示されている日付の部分を指示する。すると第３図(a)あるいは(b)に示されているように「日付の切り換え」が指示され、例えば、「７月10日」が「７月11日」、「７月12日」と指示回数に従い、変わっていく。しばらく放置していると又当日の日付に戻る。」（第２頁右上欄第８行〜同頁右下欄第19行）
(iv)「本実施例では表示が午前と午後の２画面に分かれているが、１画面に表示したり、朝、昼、晩の３画面に分けて、表示することも可能である。
　又、録画時間の設定を第５図以上に細かに設定できるようにすることも可能である。
　時間帯の境界線あるいはチャンネルの境界線が指示された時間は、２時間分あるいは２チャンネル分の録画が指示されたとし、そのように、録画の内容を設定することも可能である。
　午前と午後の表示の切りかえを、画面のスクロールにより行えるように変形することも可能である。」（第３頁左上欄第２〜13行）
(v)「(1) 記録対象となる放送通信を受信するための受信部と、放送通信の内容を記録媒体に記録するための記録部と、この記録部に対し記録指示情報を入力するための入力部と、記録指示の際に必要な曜日、時刻、放送局名等の情報を２次元的に表示する表示部とを具備したことを特徴とする放送記録指示装置。
(2) 表示部は時間軸と放送局軸によるマトリクス状の番組欄を表示させるものである特許請求の範囲第１項記載の放送記録指示装置。
(3) 表示部は時間軸と放送局軸によるスケジュール表形式の番組欄を表示させるものである特許請求の範囲第１項記載の放送記録指示装置。
(4) 表示部は表示画面上を直接指示することにより記録指示情報を入力するものである特許請求の範囲第１項記載の放送記録指示装置。」（特許請求の範囲の欄）
　
　上記記載事項及び図面の記載を総合参酌すると、引用例には、次の発明が記載されているものと認める。
　
「テレビ放送番組を予約録画する放送記録指示装置において、
　放送通信を受信するためのチューナ等からなる受信部１と、
　受信した放送あるいは新聞の番組欄と同様に横方向に放送局のチャンネル　縦方向に時間帯の情報を画面表示する表示部３と、
　該表示された情報から予約したい領域を指で直接選択指示し、
　該選択された領域に従って、所望の放送の日、放送チャンネル、放映時間を予約し、
　テレビ放送番組を録画記録する記録部７と
　これらの制御を行う制御部２と、
を備えた放送記録指示装置。」
　
３．請求項１に係る発明について
（１）対比
　請求項１に係る発明と引用例に記載された発明とを対比する。
　引用例に記載された発明が対象とする「放送記録指示装置」は、テレビ放送番組の予約録画を行うものであるから、請求項１に係る発明が対象とする「録画装置」に相当する。
　引用例に記載された発明における「表示部３」は、受信したテレビ放送も画面に表示するものであるから、請求項１に係る発明における「テレビ受像機」に相当する。また、この「表示部３」（テレビ受像機）は、新聞の番組欄と同様に横方向に放送局のチャンネル、縦方向に時間帯の情報を「表形式」で画面表示するものであり、引用例１に記載された発明における「制御部２」は、このように表示制御させるための機能を備えるものであるから、その意味で請求項１に係る発明における「表示制御手段」に相当する。
　引用例に記載された発明は、画面上に表形式で表示された放送局のチャンネルと時間帯の情報から予約したい領域を指で直接選択指示することにより所望の放送チャンネル、放映時刻を選択（「放送内容」を選択）し、予約録画するものであるから、請求項１に係る発明における「放送内容を選択する選択手段」を備えるものである。
　引用例に記載された発明は、上記選択指示された所望の放送チャンネル、放映時刻（放映時間）情報に従って予約録画する、つまり録画を予約し設定するものであるから、請求項１に係る発明における「録画予約手段」、及び「録画設定手段」を備えるものであることは明らかである。
　
　そうすると、請求項１に係る発明と引用例に記載された発明とは、次の点で一致する。
 一致点
「テレビの放映内容を録画する録画装置において、
　少なくともテレビ放送の放映時間を含む情報をテレビ受像機に出力し、該テレビ受像機に、各番組枠をチャンネルの違い毎に横の１方向に並べるとともに、同一チャンネルの番組枠を、その放送順に、上記１方向と垂直な方向に並べ、表示した表形式で表示させる表示制御手段と、
　該表示された情報から所望の番組枠を選択する選択手段と、
　該選択された情報に従って、その放映時間を録画予約手段に設定する録画設定手段と　
　を備え、
　チューナにより復調されたチャンネルの映像信号を出力する録画装置。」
　
そして、次の各点で相違する。
 相違点
(a) 請求項１に係る発明は、テレビ放送の内容と放映時間とを含む情報を予め記憶する「記憶手段」を有するものであるのに対し、引用例に記載された発明は、このような記憶手段を持つことが特に示されていない点（以下、「相違点ａ」という。）。
(b)「表示制御手段」に関し、請求項１に係る発明においては、記憶手段に記憶された情報をテレビ受像機に出力し、各「番組」をチャンネルの違い毎に縦もしくは横の内の１方向に並べるとともに、同一チャンネルの「番組」を、その放送順に、「１番組１枠で」上記１方向と垂直な方向に並べ、且つ各番組の放送時間に応じた長さで表示させるものであるのに対し、引用例に記載された発明においては、テレビ受像機に、各「番組対応部分」をチャンネルの違い毎に横の１方向に並べるとともに、同一チャンネルの「番組枠」を、その放送順に、上記１方向と垂直な方向に並べ表示させるものである点（以下、「相違点ｂ」という。）。
(c) 請求項１に係る発明においては、「複数の番組（チャンネルが異なる場合も同一の場合も含む）の録画が設定された場合、ひとつの番組の放映時間が終了する度に当該録画装置の電源を落とさない」ものであるのに対し、引用例に記載された発明においては、このことについて特に示されていない点（以下、「相違点ｃ」という。）。
(d) 請求項１に係る発明においては、映像信号を一旦ビデオメモリに蓄えた後出力するものであるのに対し、引用例に記載された発明においては、このことについて特に示されていない点（以下、「相違点ｄ」という。）。
　
（２）判断
　そこで、上記各相違点について検討する。
　
　相違点ａについて：
　テレビ放送の録画予約装置において、テレビ放送の番組内容と放映時間とを含む番組情報を予め記録カードやメモリ等の記憶手段に記憶させ、該記憶させた番組情報をテレビ画面上に表示させて録画予約することは、例えば、特開昭60-61935号公報（第19図の記録カード22）、特開昭62-60370号公報（第１図の番組メモリ19）、及び、特開昭62-60372号公報（第１図の番組メモリ22）にもみられるように本願出願前に周知の技術であるから、引用例に記載された発明の放送記録指示装置（録画装置）においても、上記周知技術のように、テレビ放送の番組内容と放映時間とを含む番組情報を予め記憶させる記録カードやメモリ等の記憶手段を設け、該記憶させた番組情報をテレビ画面上に表示させて録画予約することは、当業者が必要に応じて容易に想到できたものである。　
　
　相違点ｂについて：
　テレビ番組内容を放映チャンネル毎に時刻情報とともに放送時間に応じた長さで放送順に並べて１番組１枠とした表形式で表示することは、新聞、雑誌等のテレビ番組欄（一部の時間帯は１番組１枠で構成されている）、特開昭61-113379号公報、及び、実願昭56-26229号（実開昭57-170166号）のマイクロフィルムにもみられるように本願出願前に極く普通の表示形式に過ぎないものであるから、引用例に記載された発明の放送記録指示装置（録画装置）においても、テレビ番組内容を放映チャンネル毎に時刻情報とともに放送時間に応じた長さで放送順に並べて１番組１枠とした表形式で表示することは、当業者が容易に想到できたものである。
　
　相違点ｃについて：
　「複数の番組（チャンネルが異なる場合も同一の場合も含む）の録画が設定された場合、ひとつの番組の放映時間が終了する度に当該録画装置の電源を落とさない」（以下、「構成C」という。）に関し、本願の出願当初の明細書の段落〔0019〕には、「ステップ130において入力キーが「連続」キー13であった場合には、それまでに設定した複数の番組のうち連続する番組についてその終了時刻を取り消す処理を行なう（ステップ220）。この結果、連続する複数の番組（チャンネルが異なる場合も同一の場合も含む）の録画が設定された場合、ひとつの番組の放映時間が終了する度にVTR３の電源を落とすことがない。」と記載されている（同様の主張は、出願人請求人が提出した平成16年７月23日付け意見書の第２頁(3)にもなされているところ、上記意見書中で、段落〔0020〕とあるのは、段落〔0019〕の誤記であることは明らかである。）。
　上記当初明細書の記載によれば、上記構成Cの意味するところは、複数の番組が時間的に連続するものである場合、ひとつの番組の放映時間が終了する度にVTR３の電源を落とすことがないということと解される（当初明細書中には、このような理解に反する記載もない。）が、録画しようとする番組が時間的に連続するものの場合には、番組を時間的に連続して録画しようとすることは当然のことであり、そのためにVTR３の電源を落とさないようにすることはむしろごく普通のことである。
　したがって、引用例に記載された発明の放送記録指示装置（録画装置）においても、録画しようとする複数の番組が時間的に連続するものの場合、ひとつの番組が終了する毎に一々VTRの電源を落とさないようにすることは、当業者がごく普通になし得た事項であるというべきである。
　また、長時間VTR等のように、ある一定時間はVTRの電源を落とすことなく録画装置をタイマー動作させること自体は、特開昭57-176551号公報、特開昭62-110647号公報にもみられるように本願出願前に周知の技術であるから、引用例に記載された発明の放送記録指示装置（録画装置）においても、複数の連続する番組が設定された場合、当該番組の放映時間の間はひとつの番組の放映時間が終了する度にVTR３の電源を落とすことがないようにすることは、当業者が容易に想到できたものである。
　
　相違点ｄについて：
　チューナで復調された映像信号をフレームメモリ、フィールドメモリ、ラインメモリ等のメモリに一旦書き込んだ後、読み出してディスプレイに出力する装置は、例えば、特開昭59-185485号公報、特開昭60-140989号公報、及び、特開昭49-91521号公報にもみられるように本願出願前に周知の技術であるから、引用例に記載された発明においても、チューナにより復調されたチャンネルの映像信号を表示部に出力することに替えて、上記周知技術のように一旦メモリ（なお、このメモリを「ビデオメモリ」と称するかどうかは単に用語上の問題に過ぎない。また、ビデオメモリ自体は周知のものである。「ビデオメモリ」に関しては、本願の出願当初の明細書の段落［0014］の末尾に単に「映像信号を選択し、これを一旦図示しない内部のビデオメモリに蓄えた後、テレビ受像機５に・・・出力する」とあるのみで、単に映像信号を蓄えるという機能を有するものとしてしか示されていないところである。）に書き込んだ（蓄えた）後出力するようにすることは当業者が容易に想到できたものである。この場合、映像信号を一旦メモリに蓄えるようにすれば該映像信号が再利用可能であることは、メモリの機能上技術的に当然のことであって格別のこととはいえない。
　
　したがって、請求項１に係る発明は、引用例に記載された発明及び周知技術に基づいて当業者が容易に想到できたものである。
　
４．請求項２に係る発明について
（１）対比
　請求項２に係る発明と引用例に記載された発明とを対比する。
　引用例に記載された発明が対象とする「放送記録指示装置」は、テレビ放送番組の予約録画を行うものであるから、請求項２に係る発明が対象とする「録画装置」に相当する。
　引用例に記載された発明における「表示部３」は、受信したテレビ放送も画面に表示するものであるから、請求項２に係る発明における「テレビ受像機」に相当する。また、この「表示部３」（テレビ受像機）は、新聞の番組欄と同様に横方向に放送局のチャンネル、縦方向に時間帯の情報を「表形式」で画面表示するものであり、引用例に記載された発明における「制御部２」は、このように表示制御させるための機能を備えるものであるから、その意味で請求項２に係る発明における「表示制御手段」に相当する。
　引用例に記載された発明は、画面上に表形式で表示された放送局のチャンネルと時間帯の情報から予約したい領域を指で直接選択指示することにより所望の放送チャンネル、放映時刻を選択（「放送内容」を選択）し、予約録画するものであるから、請求項２に係る発明における「放送内容を選択する選択手段」を備えるものである。
　引用例に記載された発明は、上記選択指示された所望の放送チャンネル、放映時刻（放映時間）情報に従って予約録画する、つまり録画を予約し設定するものであるから、請求項２に係る発明における「録画予約手段」、及び「録画設定手段」を備えるものであることは明らかである。
　
　そうすると、請求項２に係る発明と引用例に記載された発明とは、次の点で一致する。
 一致点
「テレビの放映内容を録画する録画装置において、
　少なくともテレビ放送の放映時間を含む情報をテレビ受像機に出力し、該テレビ受像機に、各番組枠をチャンネルの違い毎に横の１方向に並べるとともに、同一チャンネルの番組枠を、その放送順に、上記１方向と垂直な方向に並べ、表示した表形式で表示させる表示制御手段と、
　該表示された情報から所望の番組枠を選択する選択手段と、
　該選択された情報に従って、その放映時間を録画予約手段に設定する録画設定手段と　
　を備えた、
　録画装置。」
　
そして、次の各点で相違する。
 相違点
(a) 請求項２に係る発明は、テレビ放送の内容と放映時間とを含む情報を予め記憶する「記憶手段」を有するものであるのに対し、引用例に記載された発明は、このような記憶手段を持つことが特に示されていない点（以下、「相違点ａ」という。）。
(b)「表示制御手段」に関し、請求項２に係る発明においては、記憶手段に記憶された情報をテレビ受像機に出力し、各「番組」をチャンネルの違い毎に縦もしくは横の内の１方向に並べるとともに、同一チャンネルの「番組」を、その放送順に、「１番組１枠で」上記１方向と垂直な方向に並べ、且つ各番組の放送時間に応じた長さで表示させるものであるのに対し、引用例に記載された発明においては、テレビ受像機に、各「番組対応部分」をチャンネルの違い毎に横の１方向に並べるとともに、同一チャンネルの「番組枠」を、その放送順に、上記１方向と垂直な方向に並べ表示させるものである点（以下、「相違点ｂ」という。）。
(c) 請求項２に係る発明においては、「複数の番組（チャンネルが異なる場合も同一の場合も含む）の録画が設定された場合、ひとつの番組の放映時間が終了する度に当該録画装置の電源を落とさない」ものであるのに対し、引用例に記載された発明においては、このことについて特に示されていない点（以下、「相違点ｃ」という。）。
(d) 請求項２に係る発明においては、録画再生部により再生された映像信号を一旦ビデオメモリに蓄えた後出力するものであるのに対し、引用例に記載された発明においては、このことについて特に示されていない点（以下、「相違点ｄ」という。）。
　
（２）判断
　そこで、上記各相違点について検討する。
　
　相違点ａについて：
　テレビ放送の録画予約装置において、テレビ放送の番組内容と放映時間とを含む番組情報を予め記録カードやメモリ等の記憶手段に記憶させ、該記憶させた番組情報をテレビ画面上に表示させて録画予約することは、例えば、特開昭60-61935号公報（第19図の記録カード22）、特開昭62-60370号公報（第１図の番組メモリ19）、及び、特開昭62-60372号公報（第１図の番組メモリ22）にもみられるように本願出願前に周知の技術であるから、引用例に記載された発明の放送記録指示装置（録画装置）においても、上記周知技術のように、テレビ放送の番組内容と放映時間とを含む番組情報を予め記憶させる記録カードやメモリ等の記憶手段を設け、該記憶させた番組情報をテレビ画面上に表示させて録画予約することは、当業者が必要に応じて容易に想到できたものである。　
　
　相違点ｂについて：
　テレビ番組内容を放映チャンネル毎に時刻情報とともに放送時間に応じた長さで放送順に並べて１番組１枠とした表形式で表示することは、新聞、雑誌等のテレビ番組欄（一部の時間帯は１番組１枠で構成されている）、特開昭61-113379号公報、及び、実願昭56-26229号（実開昭57-170166号）のマイクロフィルムにもみられるように本願出願前に極く普通の表示形式に過ぎないものであるから、引用例に記載された発明の放送記録指示装置（録画装置）においても、テレビ番組内容を放映チャンネル毎に時刻情報とともに放送時間に応じた長さで放送順に並べて１番組１枠とした表形式で表示することは、当業者が容易に想到できたものである。
　
　相違点ｃについて：
　「複数の番組（チャンネルが異なる場合も同一の場合も含む）の録画が設定された場合、ひとつの番組の放映時間が終了する度に当該録画装置の電源を落とさない」（以下、「構成C」という。）に関し、本願の出願当初の明細書の段落〔0019〕には、「ステップ130において入力キーが「連続」キー13であった場合には、それまでに設定した複数の番組のうち連続する番組についてその終了時刻を取り消す処理を行なう（ステップ220）。この結果、連続する複数の番組（チャンネルが異なる場合も同一の場合も含む）の録画が設定された場合、ひとつの番組の放映時間が終了する度にVTR３の電源を落とすことがない。」と記載されている（同様の主張は、出願人請求人が提出した平成16年７月23日付け意見書の第２頁(3)にもなされているところ、上記意見書中で、段落〔0020〕とあるのは、段落〔0019〕の誤記であることは明らかである。）。
　上記当初明細書の記載によれば、上記構成Cの意味するところは、複数の番組が時間的に連続するものである場合、ひとつの番組の放映時間が終了する度にVTR３の電源を落とすことがないということと解される（当初明細書中には、このような理解に反する記載もない。）が、録画しようとする番組が時間的に連続するものの場合には、番組を時間的に連続して録画しようとすることは当然のことであり、そのためにVTR３の電源を落とさないようにすることはむしろごく普通のことである。
　したがって、引用例に記載された発明の放送記録指示装置（録画装置）においても、録画しようとする複数の番組が時間的に連続するものの場合、ひとつの番組が終了する毎に一々VTRの電源を落とさないようにすることは、当業者がごく普通になし得た事項であるというべきである。
　また、長時間VTR等のように、ある一定時間はVTRの電源を落とすことなく録画装置をタイマー動作させること自体は、特開昭57-176551号公報、特開昭62-110647号公報にもみられるように本願出願前に周知の技術であるから、引用例に記載された発明の放送記録指示装置（録画装置）においても、複数の連続する番組が設定された場合、当該番組の放映時間の間はひとつの番組の放映時間が終了する度にVTR３の電源を落とすことがないようにすることは、当業者が容易に想到できたものである。
　
　相違点ｄについて：
　VTR（録画再生部）に録画した映像信号を再生し、TV等の表示部へ出力することは本願出願前に周知・慣用の技術である（例えば、特開昭60-61935号公報、特開昭62-60370号公報、及び、特開昭62-60372号公報等）。
　また、記録媒体より再生された映像信号をメモリに書き込んだ後、読み出して出力する装置は本願出願前に周知の技術である（必要があれば、特開昭63-42292号公報、米国特許明細書第4,667,225号明細書（1987年）、特開昭61-94089号公報、及び、特開昭61-284186号公報を参照されたい。）から、引用例に記載された発明においても、記録部７（録画再生部）より再生された映像信号を一旦メモリ（なお、このメモリを「ビデオメモリ」と称するかどうかは単に用語上の問題に過ぎない。また、ビデオメモリ自体は周知のものである。「ビデオメモリ」に関しては、本願の出願当初の明細書の段落［0014］の末尾に単に「映像信号を選択し、これを一旦図示しない内部のビデオメモリに蓄えた後、テレビ受像機に・・・出力する」とあるのみで、単に映像信号を蓄えるという機能を有するものとしてしか示されていないところである。）に書き込んだ（蓄えた）後出力するようにすることは当業者が容易に想到できたものである。この場合、映像信号を一旦メモリに蓄えるようにすれば該映像信号が再利用可能であることは、メモリの機能上技術的に当然のことであって格別のこととはいえない。
　
　したがって、請求項２に係る発明は、引用例及び周知技術に基づいて当業者が容易に想到できたものである。
　
５．請求項３に係る発明について
　請求項３に係る発明は、請求項１に係る発明を単に方法として記載したものであって、請求項１に係る発明と実質的に同一である。
　したがって、請求項３に係る発明は、請求項１に係る発明について示したのと同様な理由により、引用例及び周知技術に基づいて当業者が容易に想到できたものである。
　
６．請求項４に係る発明について
　請求項４に係る発明は、請求項２に係る発明を単に方法として記載したものであって、請求項２に係る発明と実質的に同一である。
　したがって、請求項４に係る発明は、請求項２に係る発明について示したのと同様な理由により、引用例及び周知技術に基づいて当業者が容易に想到できたものである。
　
７．むすび
　以上のとおりであって、本願の特許請求の範囲の請求項１乃至請求項４に係る発明は、引用例に記載された発明及び周知技術に基づいて当業者が容易に発明をすることができたものであるから、特許法第29条第２項の規定により特許を受けることができない。
　
　よって、結論のとおり審決する。